(57)【要約】【課題】あらゆる環境下において即座に利用することができ、ユーザ側でのコストを低く抑えつつ、ＵＲＬの文字列の短縮化を実現させることができる画像処理装置並びに画像形成装置、画像読取装置及び画像形成システムを提供する。【解決手段】画像処理装置並びに画像形成装置、画像読取装置及び画像形成システムは、画像データを取得する画像データ取得手段と、画像データ取得手段にて取得した画像データにおいて文字列を認識する文字列認識手段と、文字列認識手段にて認識した文字列にインターネット上のリソースを特定するためのＵＲＬが含まれているか否かを判別するＵＲＬ判別手段と、ＵＲＬ判別手段にて判別したＵＲＬを文字列から抽出するＵＲＬ抽出手段と、ＵＲＬ抽出手段にて抽出したＵＲＬを短縮した短縮ＵＲＬを取得する短縮ＵＲＬ取得手段とを備える。【選択図】図３
2015076698.tif 000002
【特許請求の範囲】
【請求項１】
画像データを取得する画像データ取得手段と、
前記画像データ取得手段にて取得した前記画像データにおいて文字列を認識する文字列認識手段と、
前記文字列認識手段にて認識した文字列にインターネット上のリソースを特定するためのＵＲＬ（Uniform Resource Locator）が含まれているか否かを判別するＵＲＬ判別手段と、
前記ＵＲＬ判別手段にて判別した前記ＵＲＬを前記文字列から抽出するＵＲＬ抽出手段と、
前記ＵＲＬ抽出手段にて抽出した前記ＵＲＬを短縮した短縮ＵＲＬを取得する短縮ＵＲＬ取得手段と
を備えることを特徴とする画像処理装置。
【請求項２】
請求項１に記載の画像処理装置であって、
前記画像データ取得手段にて取得した前記画像データにおいて前記ＵＲＬを前記短縮ＵＲＬに置き換えて該短縮ＵＲＬを含む画像データを生成する画像データ生成手段をさらに備えることを特徴とする画像処理装置。
【請求項３】
請求項１に記載の画像処理装置であって、
前記画像データ取得手段にて取得した前記画像データにおいて前記ＵＲＬの近傍に前記短縮ＵＲＬを並設して該ＵＲＬ及び該短縮ＵＲＬを含む画像データを生成する画像データ生成手段をさらに備えることを特徴とする画像処理装置。
【請求項４】
請求項２に記載の画像処理装置であって、
前記インターネット上の前記ＵＲＬに対応するリソースが有害なリソースである可能性があるか否かを判定するリソース判定手段をさらに備え、
前記画像データ生成手段は、前記ＵＲＬに対応するリソースが前記リソース判定手段にて有害なリソースである可能性があると判定した場合には、前記短縮ＵＲＬの近傍に前記ＵＲＬに対応するリソースが有害なリソースである可能性があることを示す情報を並設するか、或いは、前記短縮ＵＲＬを削除することを特徴とする画像処理装置。
【請求項５】
請求項３に記載の画像処理装置であって、
前記インターネット上の前記ＵＲＬに対応するリソースが有害なリソースである可能性があるか否かを判定するリソース判定手段をさらに備え、
前記画像データ生成手段は、前記ＵＲＬに対応するリソースが前記リソース判定手段にて有害なリソースである可能性があると判定した場合には、前記ＵＲＬ又は前記短縮ＵＲＬの近傍に前記ＵＲＬに対応するリソースが有害なリソースである可能性があることを示す情報を並設するか、或いは、前記ＵＲＬ及び前記短縮ＵＲＬを削除することを特徴とする画像処理装置。
【請求項６】
請求項２から請求項５までの何れか１項に記載の画像処理装置であって、
前記画像データ生成手段は、前記短縮ＵＲＬにおいて予め定めた所定の文字が含まれている場合には、前記短縮ＵＲＬを予め定めた所定のフォントに置き換えることを特徴とする画像処理装置。
【請求項７】
請求項３又は請求項５に記載の画像処理装置であって、
前記画像データ生成手段は、前記ＵＲＬにおいて予め定めた所定の文字が含まれている場合には、前記ＵＲＬを予め定めた所定のフォントに置き換えることを特徴とする画像処理装置。
【請求項８】
請求項３、請求項５又は請求項７に記載の画像処理装置であって、
前記画像データ生成手段は、前記ＵＲＬの先頭が行の途中にある場合には、前記ＵＲＬを先頭の部分で改行し、或いは／さらに、前記ＵＲＬの末尾が行の途中にある場合には、前記ＵＲＬを末尾の部分で改行することを特徴とする画像処理装置。
【請求項９】
請求項３、請求項５又は請求項７に記載の画像処理装置であって、
前記画像データ生成手段は、前記ＵＲＬが文の途中にある場合には、前記ＵＲＬを修飾することを特徴とする画像処理装置。
【請求項１０】
請求項２から請求項９までの何れか１項に記載の画像処理装置と、外部装置と通信する通信部、或いは、前記画像データを読み取る画像読取部と、前記通信部にて取り込んだ前記画像データ、或いは、前記画像読取部にて読み取った前記画像データに基づいて画像を形成する画像形成部とを備え、前記画像データ取得手段は、前記通信部にて取り込んだ前記画像データ、或いは、前記画像読取部にて読み取った前記画像データを取得する画像形成装置であって、
前記画像データ生成手段にて生成した前記画像データを前記画像形成部にて画像形成することを特徴とする画像形成装置。
【請求項１１】
請求項１０に記載の画像形成装置であって、
前記短縮ＵＲＬ取得手段は、前記ＵＲＬ抽出手段にて抽出した前記ＵＲＬを、該ＵＲＬを前記短縮ＵＲＬに変換する外部のサービスである外部ＵＲＬ短縮サービスを提供するサーバである外部ＵＲＬ短縮サービスサーバに送信して該外部ＵＲＬ短縮サービスサーバにて変換された前記短縮ＵＲＬを該外部ＵＲＬ短縮サービスサーバから取得することを特徴とする画像形成装置。
【請求項１２】
請求項１０に記載の画像形成装置であって、
前記ＵＲＬを前記短縮ＵＲＬに関連付けて記憶する短縮ＵＲＬ記憶部と、
前記ＵＲＬを該ＵＲＬに対して一意の前記短縮ＵＲＬに関連付けて前記短縮ＵＲＬ記憶部に登録する短縮ＵＲＬ登録手段と、
前記ＵＲＬを前記短縮ＵＲＬに変換する短縮ＵＲＬ変換手段と
を備え、
前記短縮ＵＲＬ取得手段は、前記ＵＲＬ抽出手段にて抽出した前記ＵＲＬを前記短縮ＵＲＬ変換手段に送信して該短縮ＵＲＬ変換手段にて変換された前記短縮ＵＲＬを該短縮ＵＲＬ変換手段から取得することを特徴とする画像形成装置。
【請求項１３】
請求項２から請求項９までの何れか１項に記載の画像処理装置と、前記画像データを読み取る画像読取部と、前記画像読取部にて読み取った前記画像データに基づいて画像を出力する画像出力部とを備え、前記画像データ取得手段は、前記画像読取部にて読み取った前記画像データを取得する画像読取装置であって、
前記画像データ生成手段にて生成した前記画像データを前記画像出力部にて外部装置に転送、或いは、所定のファイルデータとして保存することを特徴とする画像読取装置。
【請求項１４】
請求項１３に記載の画像読取装置であって、
前記短縮ＵＲＬ取得手段は、前記ＵＲＬ抽出手段にて抽出した前記ＵＲＬを、該ＵＲＬを前記短縮ＵＲＬに変換する外部のサービスである外部ＵＲＬ短縮サービスを提供するサーバである外部ＵＲＬ短縮サービスサーバに送信して該外部ＵＲＬ短縮サービスサーバにて変換された前記短縮ＵＲＬを該外部ＵＲＬ短縮サービスサーバから取得することを特徴とする画像読取装置。
【請求項１５】
請求項１３に記載の画像読取装置であって、
前記ＵＲＬを前記短縮ＵＲＬに関連付けて記憶する短縮ＵＲＬ記憶部と、
前記ＵＲＬを該ＵＲＬに対して一意の前記短縮ＵＲＬに関連付けて前記短縮ＵＲＬ記憶部に登録する短縮ＵＲＬ登録手段と、
前記ＵＲＬを前記短縮ＵＲＬに変換する短縮ＵＲＬ変換手段と
を備え、
前記短縮ＵＲＬ取得手段は、前記ＵＲＬ抽出手段にて抽出した前記ＵＲＬを前記短縮ＵＲＬ変換手段に送信して該短縮ＵＲＬ変換手段にて変換された前記短縮ＵＲＬを該短縮ＵＲＬ変換手段から取得することを特徴とする画像読取装置。
【請求項１６】
請求項１から請求項９までの何れか１項に記載の画像処理装置と、
前記ＵＲＬを前記短縮ＵＲＬに関連付けて記憶する短縮ＵＲＬ記憶部、前記ＵＲＬを該ＵＲＬに対して一意の前記短縮ＵＲＬに関連付けて前記短縮ＵＲＬ記憶部に登録する短縮ＵＲＬ登録手段、及び、前記ＵＲＬを前記短縮ＵＲＬに変換する短縮ＵＲＬ変換手段を備えて前記ＵＲＬを前記短縮ＵＲＬに変換する内部のサービスである内部ＵＲＬ短縮サービスを提供するサーバである内部ＵＲＬ短縮サービスサーバと
を備え、
前記短縮ＵＲＬ取得手段は、前記ＵＲＬ抽出手段にて抽出した前記ＵＲＬを前記内部ＵＲＬ短縮サービスサーバにおける前記短縮ＵＲＬ変換手段に送信して該短縮ＵＲＬ変換手段にて変換された前記短縮ＵＲＬを該短縮ＵＲＬ変換手段から取得することを特徴とする画像形成システム。
【請求項１７】
請求項１６に記載の画像形成システムであって、
前記内部ＵＲＬ短縮サービスサーバは、前記短縮ＵＲＬの登録時に該短縮ＵＲＬの有効期限を設定できるように構成されていることを特徴とする画像形成システム。
【発明の詳細な説明】
【技術分野】
【０００１】
本発明は、画像処理装置（特に複写機、複合機、プリンタ等の画像形成装置及び画像読取装置に適用される画像処理装置）並びに画像形成装置、画像読取装置及び画像形成システムに関する。
【背景技術】
【０００２】
インターネットにおいて提供されるリソースは、一般的に、端末装置（例えば、パーソナルコンピュータ等のコンピュータ端末装置やスマートフォン等の携帯端末装置）のウェブブラウザにおいて、端末装置の入力部に対してインターネット上のリソースを特定するためのＵＲＬ（Uniform Resource Locator）を入力することで、特定される。ここで、リソースとは、インターネット上のデータやサービス等の情報資源をいい、代表的には、ウェブページを例示できる。
【０００３】
このようなＵＲＬに関しては、ユーザがＵＲＬ（例えば、印刷物に含まれるＵＲＬ）を端末装置の入力部に入力するにあたり、ＵＲＬの文字列の文字数が多くなると、端末装置の入力部への入力が煩雑となり、それだけ入力作業にかかる労力が増加する。また、近年では、所謂「ツイート」と称される短文を投稿できる情報サービスであるツイッターサービスが普及している。かかるツイッターサービスにおいては、投稿文字数に制限があることから、ＵＲＬの文字列の文字数が多い場合には、投稿文においてそれだけ文字数を消費してしまうことになる。これらのことは、ＵＲＬのディレクトリ階層及び／又はドメイン階層が深い場合に特に顕著となる。
【０００４】
この点に関し、特許文献１には、ＵＲＬを抽出してＱＲ（Quick Response）コード（登録商標）のような二次元バーコードに変換してそれを印刷する構成が開示されている。かかる特許文献１に開示されているＱＲコード（登録商標）は、カメラ付きのフィーチャーフォンやスマートフォンで読み取ることができ、ＵＲＬ情報以外の情報も含めることが可能である。
【先行技術文献】
【特許文献】
【０００５】
【特許文献１】特開２００９−１４１７７２号公報
【発明の概要】
【発明が解決しようとする課題】
【０００６】
しかしながら、特許文献１に開示されているＱＲコード（登録商標）のような二次元バーコードを用いた従来構成では、二次元バーコードを読み取るために専用のアプリケーションソフトウェアが必要であるため、あらゆる環境下において即座に利用することができるわけではない。また、廉価仕様の端末装置は、一般的に、カメラ等の読取装置が付設されていないことが多く、読取装置を付設しない限り、二次元バーコードを利用することができない。このため、読取装置を付設した高価仕様の端末装置や、読取装置を付設していない廉価仕様の端末装置において読取装置を付設するとなると、それだけユーザ側でのコストが高くつく。
【０００７】
そこで、本発明は、あらゆる環境下において即座に利用することができ、ユーザ側でのコストを低く抑えつつ、ＵＲＬの文字列の短縮化を実現させることができる画像処理装置並びに画像形成装置、画像読取装置及び画像形成システムを提供することを目的とする。
【課題を解決するための手段】
【０００８】
本発明は、前記課題を解決するために、次の画像処理装置並びに画像形成装置、画像読取装置及び画像形成システムを提供する。
【０００９】
（１）画像処理装置
画像データを取得する画像データ取得手段と、前記画像データ取得手段にて取得した前記画像データにおいて文字列を認識する文字列認識手段と、前記文字列認識手段にて認識した文字列にインターネット上のリソースを特定するためのＵＲＬ（Uniform Resource Locator）が含まれているか否かを判別するＵＲＬ判別手段と、前記ＵＲＬ判別手段にて判別した前記ＵＲＬを前記文字列から抽出するＵＲＬ抽出手段と、前記ＵＲＬ抽出手段にて抽出した前記ＵＲＬを短縮した短縮ＵＲＬを取得する短縮ＵＲＬ取得手段とを備えることを特徴とする画像処理装置。
【００１０】
本発明に係る画像処理装置において、前記画像データ取得手段にて取得した前記画像データにおいて前記ＵＲＬを前記短縮ＵＲＬに置き換えて該短縮ＵＲＬを含む画像データを生成する画像データ生成手段をさらに備える態様を例示できる。
【００１１】
本発明に係る画像処理装置において、前記画像データ取得手段にて取得した前記画像データにおいて前記ＵＲＬの近傍に前記短縮ＵＲＬを並設して該ＵＲＬ及び該短縮ＵＲＬを含む画像データを生成する画像データ生成手段をさらに備える態様を例示できる。
【００１２】
本発明に係る画像処理装置において、前記インターネット上の前記ＵＲＬに対応するリソースが有害なリソースである可能性があるか否かを判定するリソース判定手段をさらに備えていてもよい。
【００１３】
前記リソース判定手段を備える態様では、前記画像データ生成手段が、前記ＵＲＬを前記短縮ＵＲＬに置き換えて該短縮ＵＲＬを含む前記画像データを生成する態様において、前記ＵＲＬに対応するリソースが前記リソース判定手段にて有害なリソースである可能性があると判定した場合には、前記短縮ＵＲＬの近傍に前記ＵＲＬに対応するリソースが有害なリソースである可能性があることを示す情報を並設するか、或いは、前記短縮ＵＲＬを削除する態様を例示できる。
【００１４】
また、前記リソース判定手段を備える態様では、前記画像データ生成手段が、前記ＵＲＬの近傍に前記短縮ＵＲＬを並設して該ＵＲＬ及び該短縮ＵＲＬを含む前記画像データを生成する態様において、前記ＵＲＬに対応するリソースが前記リソース判定手段にて有害なリソースである可能性があると判定した場合には、前記ＵＲＬ又は前記短縮ＵＲＬの近傍に前記ＵＲＬに対応するリソースが有害なリソースである可能性があることを示す情報を並設するか、或いは、前記ＵＲＬ及び前記短縮ＵＲＬを削除する態様を例示できる。
【００１５】
本発明に係る画像処理装置において、前記画像データ生成手段は、前記短縮ＵＲＬ及び前記ＵＲＬのうち少なくとも一方において予め定めた所定の文字が含まれている場合には、該少なくとも一方を予め定めた所定のフォントに置き換える態様を例示できる。
【００１６】
本発明に係る画像処理装置において、前記画像データ生成手段は、前記ＵＲＬの先頭が行の途中にある場合には、前記ＵＲＬを先頭の部分で改行し、或いは／さらに、前記ＵＲＬの末尾が行の途中にある場合には、前記ＵＲＬを末尾の部分で改行する態様を例示できる。
【００１７】
本発明に係る画像処理装置において、前記画像データ生成手段は、前記ＵＲＬが文の途中にある場合には、前記ＵＲＬを修飾する態様を例示できる。
【００１８】
（２）画像形成装置
前記本発明に係る画像処理装置と、外部装置と通信する通信部、或いは、前記画像データを読み取る画像読取部と、前記通信部にて取り込んだ前記画像データ、或いは、前記画像読取部にて読み取った前記画像データに基づいて画像を形成する画像形成部とを備え、前記画像データ取得手段は、前記通信部にて取り込んだ前記画像データ、或いは、前記画像読取部にて読み取った前記画像データを取得する画像形成装置であって、前記画像データ生成手段にて生成した前記画像データを前記画像形成部にて画像形成することを特徴とする画像形成装置。
【００１９】
本発明に係る画像形成装置において、前記短縮ＵＲＬ取得手段は、前記ＵＲＬ抽出手段にて抽出した前記ＵＲＬを、該ＵＲＬを前記短縮ＵＲＬに変換する外部（例えば社外）のサービスである外部ＵＲＬ短縮サービスを提供するサーバである外部ＵＲＬ短縮サービスサーバに送信して該外部ＵＲＬ短縮サービスサーバにて変換された前記短縮ＵＲＬを該外部ＵＲＬ短縮サービスサーバから取得する態様を例示できる。
【００２０】
本発明に係る画像形成装置において、前記ＵＲＬを前記短縮ＵＲＬに関連付けて記憶する短縮ＵＲＬ記憶部と、前記ＵＲＬを該ＵＲＬに対して一意の前記短縮ＵＲＬに関連付けて前記短縮ＵＲＬ記憶部に登録する短縮ＵＲＬ登録手段と、前記ＵＲＬを前記短縮ＵＲＬに変換する短縮ＵＲＬ変換手段とを備え、前記短縮ＵＲＬ取得手段は、前記ＵＲＬ抽出手段にて抽出した前記ＵＲＬを前記短縮ＵＲＬ変換手段に送信して該短縮ＵＲＬ変換手段にて変換された前記短縮ＵＲＬを該短縮ＵＲＬ変換手段から取得する態様を例示できる。
【００２１】
（３）画像読取装置
前記本発明に係る画像処理装置と、前記画像データを読み取る画像読取部と、前記画像読取部にて読み取った前記画像データに基づいて画像を出力する画像出力部とを備え、前記画像データ取得手段は、前記画像読取部にて読み取った前記画像データを取得する画像読取装置であって、前記画像データ生成手段にて生成した前記画像データを前記画像出力部にて外部装置に転送、或いは、所定のファイルデータとして保存することを特徴とする画像読取装置。
【００２２】
本発明に係る画像読取装置において、前記短縮ＵＲＬ取得手段は、前記ＵＲＬ抽出手段にて抽出した前記ＵＲＬを、該ＵＲＬを前記短縮ＵＲＬに変換する外部（例えば社外）のサービスである外部ＵＲＬ短縮サービスを提供するサーバである外部ＵＲＬ短縮サービスサーバに送信して該外部ＵＲＬ短縮サービスサーバにて変換された前記短縮ＵＲＬを該外部ＵＲＬ短縮サービスサーバから取得する態様を例示できる。
【００２３】
本発明に係る画像読取装置において、前記ＵＲＬを前記短縮ＵＲＬに関連付けて記憶する短縮ＵＲＬ記憶部と、前記ＵＲＬを該ＵＲＬに対して一意の前記短縮ＵＲＬに関連付けて前記短縮ＵＲＬ記憶部に登録する短縮ＵＲＬ登録手段と、前記ＵＲＬを前記短縮ＵＲＬに変換する短縮ＵＲＬ変換手段とを備え、前記短縮ＵＲＬ取得手段は、前記ＵＲＬ抽出手段にて抽出した前記ＵＲＬを前記短縮ＵＲＬ変換手段に送信して該短縮ＵＲＬ変換手段にて変換された前記短縮ＵＲＬを該短縮ＵＲＬ変換手段から取得する態様を例示できる。
【００２４】
（４）画像形成システム。
【００２５】
前記本発明に係る画像処理装置と、前記ＵＲＬを前記短縮ＵＲＬに関連付けて記憶する短縮ＵＲＬ記憶部、前記ＵＲＬを該ＵＲＬに対して一意の前記短縮ＵＲＬに関連付けて前記短縮ＵＲＬ記憶部に登録する短縮ＵＲＬ登録手段、及び、前記ＵＲＬを前記短縮ＵＲＬに変換する短縮ＵＲＬ変換手段を備えて前記ＵＲＬを前記短縮ＵＲＬに変換する内部（例えば社内）のサービスである内部ＵＲＬ短縮サービスを提供するサーバである内部ＵＲＬ短縮サービスサーバとを備え、前記短縮ＵＲＬ取得手段は、前記ＵＲＬ抽出手段にて抽出した前記ＵＲＬを前記内部ＵＲＬ短縮サービスサーバにおける前記短縮ＵＲＬ変換手段に送信して該短縮ＵＲＬ変換手段にて変換された前記短縮ＵＲＬを該短縮ＵＲＬ変換手段から取得することを特徴とする画像形成システム。
【００２６】
本発明に係る画像形成システムにおいて、前記内部ＵＲＬ短縮サービスサーバは、前記短縮ＵＲＬの登録時に該短縮ＵＲＬの有効期限を設定できるように構成されている態様を例示できる。
【００２７】
このように、前記短縮ＵＲＬの登録時に該短縮ＵＲＬの有効期限を設定できるように構成されている場合において、前記画像データ生成手段は、前記ＵＲＬを前記短縮ＵＲＬに置き換える場合には、前記短縮ＵＲＬの近傍に前記有効期限を並設して該短縮ＵＲＬ及び該有効期限を含む前記画像データを生成してもよいし、前記ＵＲＬの近傍に前記短縮ＵＲＬを並設する場合には、前記ＵＲＬ又は前記短縮ＵＲＬの近傍に前記有効期限を並設して該ＵＲＬ、該短縮ＵＲＬ及び該有効期限を含む前記画像データを生成してもよい。
【発明の効果】
【００２８】
本発明によると、あらゆる環境下において即座に利用することができ、ユーザ側でのコストを低く抑えつつ、前記ＵＲＬの文字列の短縮化を実現させることができる。
【図面の簡単な説明】
【００２９】
【図１】第１実施形態を構成するシステム構成を概略的に示すブロック図である。
【図２】図１に示す画像形成装置における画像処理装置の制御構成を示す概略構成図である。
【図３】図１に示す画像形成装置における画像処理装置により処理される画像データの処理過程を説明するための説明図である。
【図４】画像処理装置による第１実施形態の制御例での処理の流れを示すフローチャートである。
【図５】第２実施形態を構成するシステム構成を概略的に示すブロック図である。
【図６】図５に示す画像読取装置における画像処理装置により処理される画像データの処理過程を説明するための説明図である。
【図７】画像処理装置による第２実施形態の制御例での処理の流れを示すフローチャートである。
【図８】第３実施形態を構成するシステム構成を概略的に示すブロック図である。
【図９】図８に示す画像形成装置及び画像読取装置における制御装置の制御構成を示す概略構成図である。
【図１０】図８に示す画像形成装置又は画像読取装置における画像処理装置により処理される画像データの処理過程を説明するための説明図である。
【図１１】画像処理装置による第３実施形態の制御例での処理の流れを示すフローチャートである。
【図１２】第４実施形態を構成するシステム構成を概略的に示すブロック図である。
【図１３】図１２に示す画像形成システムにおける内部ＵＲＬ短縮サービスサーバの制御構成を示す概略構成図である。
【図１４】図１２に示す画像形成装置又は画像読取装置における画像処理装置により処理される画像データの処理過程を説明するための説明図である。
【図１５】画像処理装置による第４実施形態の制御例での処理の流れを示すフローチャートである。
【図１６】第５実施形態の処理前及び処理後におけるＵＲＬ及び短縮ＵＲＬの一例を説明するための説明図である。
【図１７】第１実施形態から第５実施形態において、画像形成装置における画像処理装置の第６実施形態を構成する制御構成を示す概略構成図である。
【図１８】第６実施形態の画像データ生成手段により生成されるメッセージの表示例を説明するための説明図である。
【図１９】第１実施形態から第６実施形態において、画像形成装置における画像処理装置の第７実施形態を構成する制御構成の画像データ生成手段により表示される表示例を説明するための説明図である。
【図２０】第５実施形態から第７実施形態において、画像形成装置における画像処理装置の第８実施形態を構成する制御構成の画像データ生成手段により表示される表示例を説明するための説明図である。
【図２１】第５実施形態から第７実施形態において、画像形成装置における画像処理装置の第９実施形態を構成する制御構成の画像データ生成手段により表示される表示例を説明するための説明図である。
【図２２】第４実施形態において、画像形成システムにおける内部ＵＲＬ短縮サービスサーバの第１０実施形態を構成する制御構成を示す概略構成図である。
【図２３】第１０実施形態の画像データ生成手段により生成されるメッセージの表示例を説明するための説明図である。
【発明を実施するための形態】
【００３０】
以下、本発明に係る実施の形態について図面を参照しながら説明する。
【００３１】
（第１実施形態）
図１は、第１実施形態を構成するシステム構成を概略的に示すブロック図である。図２は、図１に示す画像形成装置１１０における画像処理装置１１２の制御構成を示す概略構成図である。図３は、図１に示す画像形成装置１１０における画像処理装置１１２により処理される画像データの処理過程を説明するための説明図である。
【００３２】
画像形成装置１１０は、インターネット１４０を介して端末装置１５０（例えば、パーソナルコンピュータ等のコンピュータ端末装置１５０ａやスマートフォン等の携帯端末装置１５０ｂ）、外部ＵＲＬ短縮サービスサーバ３００と通信するようになっている。端末装置１５０は及びインターネット１４０を介してウェブページ等の複数のリソースＲ〜Ｒと通信するようになっている。なお、図１では、画像形成装置１１０、コンピュータ端末装置１５０ａ及び携帯端末装置１５０ｂをそれぞれ１台で示しているが、画像形成装置１１０、コンピュータ端末装置１５０ａ及び携帯端末装置１５０ｂは、それぞれ、複数台としてもよい。また、画像形成装置１１０は、後述する第４実施形態のように、イントラネット４２０（図１２参照）を介してインターネット１４０に接続されていてもよい。
【００３３】
画像形成装置１１０は、画像データを処理する画像処理装置１１２と、外部装置（例えば他の画像形成装置や端末装置１５０）と通信する通信部１１７と、画像データを読み取る画像読取部１１６と、外部装置から通信部１１７にて取り込んだ画像データ、或いは、画像読取部１１６にて読み取った画像データに基づいて画像を形成する画像形成部１１３とを備えている。
【００３４】
画像処理装置１１２は、ＣＰＵ（Central Processing Unit）等の処理部１１２ａ（図２参照）と、ＲＯＭ（Read Only Memory）等の不揮発性メモリやフラッシュメモリなどの書き込み可能な不揮発性メモリおよびＲＡＭ（Random Access Memory）等の揮発性メモリを含む記憶部１１２ｂ（図２参照）とを備えている。記憶部１１２ｂは、処理部１１２ａのワークメモリを提供する。
【００３５】
画像処理装置１１２における処理部１１２ａは、画像データを取得する画像データ取得手段Ｐ１と、画像データ取得手段Ｐ１にて取得した画像データにおいて文字列を認識する文字列認識手段Ｐ２と、文字列認識手段Ｐ２にて認識した文字列にインターネット１４０上のリソースＲを特定するためのＵＲＬ１０ａが含まれているか否かを判別するＵＲＬ判別手段Ｐ３と、ＵＲＬ判別手段Ｐ３にて判別したＵＲＬ１０ａを文字列から抽出するＵＲＬ抽出手段Ｐ４と、ＵＲＬ抽出手段Ｐ４にて抽出したＵＲＬ１０ａを短縮した短縮ＵＲＬ１０ｂを取得する短縮ＵＲＬ取得手段Ｐ５とを備える構成とされている。
【００３６】
本実施の形態では、画像データ取得手段Ｐ１は、外部装置から通信部１１７にて取り込んだ画像データ、或いは、画像読取部１１６にて読み取った画像データを取得するようになっている。
【００３７】
また、本実施の形態では、短縮ＵＲＬ取得手段Ｐ５は、ＵＲＬ抽出手段Ｐ４にて抽出したＵＲＬ１０ａを、ＵＲＬ１０ａを短縮ＵＲＬ１０ｂに変換する外部（この例では社外）のサービスである外部ＵＲＬ短縮サービスを提供するサーバである外部ＵＲＬ短縮サービスサーバ３００（図１及び図３参照）に送信して外部ＵＲＬ短縮サービスサーバ３００にて変換された短縮ＵＲＬ１０ｂを外部ＵＲＬ短縮サービスサーバ３００から取得するようになっている。
【００３８】
また、本実施の形態では、処理部１１２ａは、画像データ取得手段Ｐ１にて取得した画像データにおいてＵＲＬ１０ａを短縮ＵＲＬ１０ｂに置き換えて短縮ＵＲＬ１０ｂを含む画像データを生成する画像データ生成手段Ｐ６をさらに備える構成とされている。
【００３９】
そして、画像形成装置１１０は、画像処理装置１１２の処理部１１２ａにおける画像データ生成手段Ｐ６にて生成した画像データを画像形成部１１３にて画像形成（印刷）するようになっている。
【００４０】
詳しくは、画像形成装置１１０は、操作部１１５と制御装置１１８とをさらに備えている（図１参照）。
【００４１】
操作部１１５は、入力部１１１及び表示部１１４を備えている。操作部１１５は、入力部１１１にて装置全体の各種設定情報や各機能を動作させるための入力情報を受け付けるようになっており、また、表示部１１４にて入力内容や装置全体の動作状況が表示されるようになっている。
【００４２】
制御装置１１８は、ＣＰＵ等の処理部１１８ａと、ＲＯＭ等の不揮発性メモリやフラッシュメモリなどの書き込み可能な不揮発性メモリおよびＲＡＭ等の揮発性メモリを含む記憶部１１８ｂとを備えている。
【００４３】
画像形成装置１１０は、制御装置１１８の処理部１１８ａが記憶部１１８ｂのＲＯＭに予め格納された制御プログラムを記憶部１１８ｂのＲＡＭ上にロードして実行することにより、各種構成要素を制御するようになっている。また、記憶部１１８ｂにおける不揮発性メモリには、画像形成装置１１０の動作パラメータや設定データなどの各種システム情報が格納されている。
【００４４】
画像形成部１１３は、出力情報を印刷できれば、何れものでもよく、ここでは、電子写真方式により画像形成を行うレーザープリンタ部とされている。但し、それに限定されるものではなく、例えば、画像形成部１１３は、インクジェットプリンタ部や、昇華型（熱転写型）プリンタ部であってもよい。
【００４５】
画像読取部１１６は、原稿台に載置された原稿の画像や、自動原稿搬送装置で搬送される原稿の画像を読み取って画像データを入力する。画像形成部１１３は、画像読取部１１６から入力された画像データ又は通信部１１７を介して外部装置から入力された画像データに対し、印刷処理を行う。通信部１１７は、インターネット１４０を介して、外部ＵＲＬ短縮サービスサーバ３００、端末装置１５０と通信する。制御装置１１８は、画像処理装置１１２と画像形成部１１３と操作部１１５と画像読取部１１６と通信部１１７とを制御する。
【００４６】
画像形成装置１１０は、例えば、スキャナ、複写機、ファクシミリ装置及びプリンタの役目を果たすデジタル複合機であってもよい。画像形成装置１１０は、複合機に限らず、複写機やプリンタ、ファクシミリ装置等の画像形成装置であってもよい。
【００４７】
端末装置１５０（例えばコンピュータ端末装置１５０ａや携帯端末装置１５０ｂ）は、通信部１５１と端末制御部１５２と入力部１５３と表示部１５４とを備えている。通信部１５１は、インターネット１４０を介して画像形成装置１１０、リソースＲ〜Ｒと通信する。端末制御部１５２は、通信部１５１と入力部１５３と表示部１５４とを制御する。入力部１５３は、ユーザの入力操作による入力情報を受け付ける。表示部１５４は、各種表示情報を表示する。
【００４８】
外部ＵＲＬ短縮サービスサーバ３００は、第三者が運営する外部ＵＲＬ短縮サービスを提供するものであり、図３に示すように、ＵＲＬ１０ａ（この例では「http://abcdefghijklmn.com/aabbccde/aIb0cl/1O.html」）をＵＲＬ１０ａに対して一意の短縮ＵＲＬ１０ｂ（この例では「http://XXX.YY/1WlOI0D」）に関連付けて登録するようになっている。また、外部ＵＲＬ短縮サービスサーバ３００は、短縮ＵＲＬ１０ｂと関連付けられたＵＲＬ１０ａを短縮ＵＲＬ１０ｂに変換するようになっている。そして、外部ＵＲＬ短縮サービスサーバ３００は、端末装置１５０で入力されて端末装置１５０から送られてきた短縮ＵＲＬ１０ｂを受信すると、短縮ＵＲＬ１０ｂに対応するＵＲＬ１０ａのリソースＲにリダイレクト（転送）するサービスを行うようになっている。
【００４９】
具体的には、外部ＵＲＬ短縮サービスサーバ３００は、可及的に短い（例えば３文字程度の）ドメイン名でアクセスできるように構成されており、かかる外部ＵＲＬ短縮サービスサーバ３００において、ウェブページ上に転送先のＵＲＬ１０ａを記述するフォームを作成し、さらに、ＵＲＬ１０ａを受信すると、ＵＲＬ１０ａを一意の短縮ＵＲＬ１０ｂに関連付けて登録するために、ＨＴＴＰ（HyperText Transfer Protocol）リダイレクト機能を利用して、「.htaccess」のファイルデータに「Redirect permanent」の行を追加するスクリプトを作成する。そして、外部ＵＲＬ短縮サービスサーバ３００は、端末装置１５０からのＵＲＬ１０ａを短縮ＵＲＬ１０ｂに変換し、端末装置１５０から短縮ＵＲＬ１０ｂを受信すると、端末装置１５０からのアクセスを短縮ＵＲＬ１０ｂに対応するＵＲＬ１０ａのリソースＲにリダイレクト（転送）する。なお、ここでは、短縮ＵＲＬ１０ｂは、ＵＲＬ１０ａからランダムに変換するようになっているが、所望の短縮ＵＲＬの入力を受け付けるようになってもよい。
【００５０】
例えば、外部ＵＲＬ短縮サービスサーバ３００のドメイン名を「XXX.YY」とし、「http://abcdefghijklmn.com/aabbccde/aIb0cl/1O.html」のＵＲＬ１０ａを「http://XXX.YY/1WlOI0D」の短縮ＵＲＬ１０ｂに関連付けて登録する場合、ＨＴＴＰリダイレクト機能では、「http://XXX.YY/1WlOI0D」の短縮ＵＲＬ１０ｂを受信すると、「http://abcdefghijklmn.com/aabbccde/aIb0cl/1O.html」にリダイレクト（転送）せよ、という命令を外部ＵＲＬ短縮サービスサーバ３００の設定ファイルデータに記述する。
【００５１】
具体的には、「.htaccess」の設定ファイルデータに以下のように記述する。
【００５２】
Redirect permanent /“短縮ＵＲＬ” “ＵＲＬ”
すなわち、
Redirect permanent /1WlOI0D http://abcdefghijklmn.com/aabbccde/aIb0cl/1O.html
次に、画像形成装置１１０において、画像処理装置１１２により制御する第１実施形態の制御例について以下に説明する。
【００５３】
図４は、画像処理装置１１２による第１実施形態の制御例での処理の流れを示すフローチャートである。
【００５４】
図４に示す第１実施形態の制御例では、先ず、処理部１１２ａは、画像形成装置１１０の画像読取部１１６で読み取った画像データ、或いは、外部装置から通信部１１７を介して取り込んだ画像データを取得し（ステップＳ１０１）、ステップＳ１０１で取得した画像データにおけるビットマップデータにおいて文字列を認識する（ステップＳ１０２）。ここで、文字列の認識については、従来公知の手法で行うことができ、ここでは、詳しい説明を省略する。
【００５５】
次に、処理部１１２ａは、ステップＳ１０２で認識した文字列にＵＲＬが含まれているか否かを判断し（ステップＳ１０３）、ＵＲＬが含まれていると判断した場合には（ステップＳ１０３：Ｙｅｓ）、ＵＲＬ１０ａ（この例では「http://abcdefghijklmn.com/aabbccde/aIb0cl/1O.html」）をステップＳ１０２で認識した文字列から抽出する（ステップＳ１０４）。ここで、ＵＲＬ１０ａの抽出は、例えば、先頭の部分で「http://」を認識し、末尾の部分で「.htm」又は「.html」や「/」或いは「英数字以外の文字」を認識することで行うことができる。
【００５６】
次に、処理部１１２ａは、外部ＵＲＬ短縮サービスサーバ３００のウェブサイト（この例では「http://XXX.YY」）にアクセスし、該ウェブサイトに対して、ステップＳ１０４で抽出したＵＲＬ１０ａ（この例では「http://abcdefghijklmn.com/aabbccde/aIb0cl/1O.html」）を送信する（ステップＳ１０５）。
【００５７】
外部ＵＲＬ短縮サービスサーバ３００では、ステップＳ１０５で送信したＵＲＬ１０ａ（この例では「http://abcdefghijklmn.com/aabbccde/aIb0cl/1O.html」）を短縮ＵＲＬ１０ｂ（この例では「http://XXX.YY/1WlOI0D」）に変換し（ステップＳ１０６）、ステップＳ１０６で変換した短縮ＵＲＬ１０ｂを画像形成装置１１０に返す。
【００５８】
次に、画像形成装置１１０において、処理部１１２ａは、外部ＵＲＬ短縮サービスサーバ３００にてステップＳ１０６で変換して外部ＵＲＬ短縮サービスサーバ３００から送られてきた短縮ＵＲＬ１０ｂ（この例では「http://XXX.YY/1WlOI0D」）を受信し（ステップＳ１０７）、ＵＲＬ１０ａ（この例では「http://abcdefghijklmn.com/aabbccde/aIb0cl/1O.html」）をステップＳ１０７で受信した短縮ＵＲＬ１０ｂ（この例では「http://XXX.YY/1WlOI0D」）に置き換えて短縮ＵＲＬ１０ｂ（この例では「http://XXX.YY/1WlOI0D」）を含む画像データを生成する（ステップＳ１０８）。
【００５９】
次に、処理部１１２ａは、ステップＳ１０８で生成した画像データを画像形成部１１３にて記録用紙等の記録シートに印刷し（ステップＳ１０９）、処理動作を終了する。
【００６０】
一方、ステップＳ１０３において、ＵＲＬが含まれていないと判断した場合には（ステップＳ１０３：Ｎｏ）、ステップＳ１０１で取得した画像データを画像形成部１１３にてそのまま記録シートに印刷し（ステップＳ１１０）、処理動作を終了する。
【００６１】
（第２実施形態）
図５は、第２実施形態を構成するシステム構成を概略的に示すブロック図である。図６は、図５に示す画像読取装置１２０における画像処理装置１１２により処理される画像データの処理過程を説明するための説明図である。
【００６２】
第２実施形態において、第１実施形態の構成要素と実質的に同じ構成要素には同一符号を付し、その説明を省略すると共に、以下、第１実施形態とは異なる点を中心に説明する。
【００６３】
画像読取装置１２０は、インターネット１４０を介して端末装置１５０及び外部ＵＲＬ短縮サービスサーバ３００と通信するようになっている。なお、図５では、画像読取装置１２０及び端末装置１５０をそれぞれ１台で示しているが、画像読取装置１２０及び端末装置１５０は、それぞれ、複数台としてもよい。また、画像読取装置１２０は、第４実施形態のように、イントラネット４２０（図１２参照）を介してインターネット１４０に接続されていてもよい。
【００６４】
画像読取装置１２０は、画像処理装置１１２と、通信部１１７と、画像読取部１１６と、画像読取部１１６にて読み取った画像データに基づいて画像を出力する画像出力部１１９とを備えている。
【００６５】
画像処理装置１１２における処理部１１２ａは、第１実施形態の構成と同様のものであり、図２に示すように、画像データ取得手段Ｐ１と、文字列認識手段Ｐ２と、ＵＲＬ判別手段Ｐ３と、ＵＲＬ抽出手段Ｐ４と、短縮ＵＲＬ取得手段Ｐ５とを備える構成とされている。
【００６６】
本実施の形態では、画像データ取得手段Ｐ１は、画像読取部１１６にて読み取った画像データを取得するようになっている。
【００６７】
また、本実施の形態では、短縮ＵＲＬ取得手段Ｐ５は、ＵＲＬ抽出手段Ｐ４にて抽出したＵＲＬ１０ａを、外部ＵＲＬ短縮サービスサーバ３００（図５及び図６参照）に送信して外部ＵＲＬ短縮サービスサーバ３００にて変換された短縮ＵＲＬ１０ｂを外部ＵＲＬ短縮サービスサーバ３００から取得するようになっている。
【００６８】
また、本実施の形態では、処理部１１２ａは、ＵＲＬ１０ａを短縮ＵＲＬ１０ｂに置き換えて短縮ＵＲＬ１０ｂを含む画像データを生成する画像データ生成手段Ｐ６をさらに備える構成とされている。
【００６９】
そして、画像読取装置１２０は、画像処理装置１１２の処理部１１２ａにおける画像データ生成手段Ｐ６にて生成した画像データを画像出力部１１９にて外部装置に転送、或いは、所定のファイルデータとして保存するようになっている。
【００７０】
次に、画像読取装置１２０において、画像処理装置１１２により制御する第２実施形態の制御例について以下に説明する。
【００７１】
図７は、画像処理装置１１２による第２実施形態の制御例での処理の流れを示すフローチャートである。
【００７２】
図７に示す第２実施形態の制御例において、ステップＳ１０１〜Ｓ１０８は、図４に示す第１実施形態のステップＳ１０１〜Ｓ１０８と同様の処理を行う。
【００７３】
そして、ステップＳ１０８の処理の後、処理部１１２ａは、ステップＳ１０８で生成した画像データを画像出力部１１９にて外部装置（例えば画像形成装置や端末装置１５０）に転送、或いは、所定のファイルデータ（例えばＰＤＦ(登録商標)ファイル）として記憶部１１２ｂ（図２参照）に保存し（ステップＳ２０９）、処理動作を終了する。
【００７４】
一方、ステップＳ１０３において、ＵＲＬが含まれていないと判断した場合には（ステップＳ１０３：Ｎｏ）、ステップＳ１０１で取得した画像データを画像出力部１１９にてそのまま外部装置（例えば画像形成装置や端末装置１５０）に転送、或いは、所定のファイルデータ（例えばＰＤＦ(登録商標)ファイル）として記憶部１１２ｂに保存し（ステップＳ２１０）、処理動作を終了する。
【００７５】
（第３実施形態）
図８は、第３実施形態を構成するシステム構成を概略的に示すブロック図である。図９は、図８に示す画像形成装置１１０及び画像読取装置１２０における制御装置１１８の制御構成を示す概略構成図である。図１０は、図８に示す画像形成装置１１０又は画像読取装置１２０における画像処理装置１１２により処理される画像データの処理過程を説明するための説明図である。
【００７６】
第３実施形態において、第１実施形態及び第２実施形態の構成要素と実質的に同じ構成要素には同一符号を付し、その説明を省略すると共に、以下、第１実施形態及び第２実施形態とは異なる点を中心に説明する。
【００７７】
画像形成装置１１０及び画像読取装置１２０は、インターネット１４０を介して端末装置１５０と通信するようになっている。なお、図８では、画像形成装置１１０、画像読取装置１２０及び端末装置１５０をそれぞれ１台で示しているが、画像形成装置１１０、画像読取装置１２０及び端末装置１５０は、それぞれ、複数台としてもよい。また、画像形成装置１１０及び画像読取装置１２０は、スタンドアロンの状態であってもよく、必ずしもインターネット１４０に接続されていなくてもよい。
【００７８】
画像処理装置１１２における処理部１１２ａは、第１実施形態又は第２実施形態の構成と同様のものであり、図２に示すように、画像データ取得手段Ｐ１と、文字列認識手段Ｐ２と、ＵＲＬ判別手段Ｐ３と、ＵＲＬ抽出手段Ｐ４と、短縮ＵＲＬ取得手段Ｐ５とを備える構成とされている。
【００７９】
本実施の形態では、画像データ取得手段Ｐ１は、画像形成装置１１０の場合には、外部装置から通信部１１７にて取り込んだ画像データ、或いは、画像読取部１１６にて読み取った画像データを取得するようになっており、画像読取装置１２０の場合には、画像読取部１１６にて読み取った画像データを取得するようになっている。
【００８０】
また、本実施の形態では、短縮ＵＲＬ取得手段Ｐ５は、ＵＲＬ抽出手段Ｐ４にて抽出したＵＲＬ１０ａを、ＵＲＬ１０ａを短縮ＵＲＬ１０ｂに変換する短縮ＵＲＬ変換手段Ｐ１２（図９参照）を備える制御装置１１８に送信して短縮ＵＲＬ変換手段Ｐ１２にて変換された短縮ＵＲＬ１０ｂを制御装置１１８から取得するようになっている。
【００８１】
制御装置１１８は、ＵＲＬ１０ａをＵＲＬ１０ａに対して一意の短縮ＵＲＬ１０ｂに関連付けて登録するようになっている。また、制御装置１１８は、短縮ＵＲＬ１０ｂと関連付けられたＵＲＬ１０ａを短縮ＵＲＬ１０ｂに変換するようになっている。
【００８２】
図９に示すように、制御装置１１８における記憶部１１８ｂは、ＵＲＬ１０ａを短縮ＵＲＬ１０ｂに関連付けて記憶する短縮ＵＲＬ記憶部Ｍ１１を有している。
【００８３】
制御装置１１８における処理部１１８ａは、ＵＲＬ１０ａをＵＲＬ１０ａに対して一意の短縮ＵＲＬ１０ｂに関連付けて短縮ＵＲＬ記憶部Ｍ１１に登録する短縮ＵＲＬ登録手段Ｐ１１と、ＵＲＬ１０ａを短縮ＵＲＬ１０ｂに変換する短縮ＵＲＬ変換手段Ｐ１２とを備える構成とされている。
【００８４】
短縮ＵＲＬ取得手段Ｐ５（図２参照）は、図１０に示すように、画像形成装置１１０及び画像読取装置１２０において、ＵＲＬ抽出手段Ｐ４（図２参照）にて抽出したＵＲＬ１０ａを処理部１１８ａ（図９参照）における短縮ＵＲＬ変換手段Ｐ１２に送信して短縮ＵＲＬ変換手段Ｐ１２にて変換された短縮ＵＲＬ１０ｂを短縮ＵＲＬ変換手段Ｐ１２から取得する。
【００８５】
なお、制御装置１１８のＨＴＴＰリダイレクト機能の具体的な説明は、第１実施形態及び第２実施形態の外部ＵＲＬ短縮サービスサーバ３００の場合と同様であり、ここでは詳しい説明を省略する。
【００８６】
また、本実施の形態では、処理部１１２ａは、ＵＲＬ１０ａを短縮ＵＲＬ１０ｂに置き換えて短縮ＵＲＬ１０ｂを含む画像データを生成する画像データ生成手段Ｐ６（図２参照）をさらに備える構成とされている。
【００８７】
そして、画像形成装置１１０は、画像処理装置１１２の処理部１１２ａにおける画像データ生成手段Ｐ６にて生成した画像データを画像形成部１１３にて画像形成（印刷）するようになっており、画像読取装置１２０は、画像処理装置１１２の処理部１１２ａにおける画像データ生成手段Ｐ６にて生成した画像データを画像出力部１１９にて外部装置に転送、或いは、所定のファイルデータとして保存するようになっている。
【００８８】
次に、画像形成装置１１０及び画像読取装置１２０において、画像処理装置１１２により制御する第３実施形態の制御例について以下に説明する。
【００８９】
図１１は、画像処理装置１１２による第３実施形態の制御例での処理の流れを示すフローチャートである。
【００９０】
図１１に示す第３実施形態の制御例において、ステップＳ１０１〜Ｓ１０４、ステップＳ１０８〜Ｓ１１０は、図４に示す第１実施形態のステップＳ１０１〜Ｓ１０４、ステップＳ１０８〜Ｓ１１０及び図７に示す第２実施形態のステップＳ１０１〜Ｓ１０４、ステップＳ１０８、Ｓ２０９〜Ｓ２１０と同様の処理を行う。
【００９１】
そして、ステップＳ１０４の処理の後、処理部１１２ａは、制御装置１１８に対して、ステップＳ１０４で抽出したＵＲＬ１０ａ（この例では「http://abcdefghijklmn.com/aabbccde/aIb0cl/1O.html」）を送信する（ステップＳ３０５）。
【００９２】
次に、制御装置１１８では、処理部１１８ａ（図９参照）は、ステップＳ３０５で送信したＵＲＬ１０ａ（この例では「http://abcdefghijklmn.com/aabbccde/aIb0cl/1O.html」）を短縮ＵＲＬ１０ｂ（この例では「http://XXX.YY/1WlOI0D」）に変換し（ステップＳ３０６）、ステップＳ３０６で変換した短縮ＵＲＬ１０ｂを画像処理装置１１２に返す。
【００９３】
次に、処理部１１２ａ（図２参照）は、制御装置１１８にてステップＳ３０６で変換して制御装置１１８から送られてきた短縮ＵＲＬ１０ｂ（この例では「http://XXX.YY/1WlOI0D」）を受信する（ステップＳ３０７）。
【００９４】
（第４実施形態）
図１２は、第４実施形態を構成するシステム構成を概略的に示すブロック図である。図１３は、図１２に示す画像形成システム１００における内部ＵＲＬ短縮サービスサーバ４１０の制御構成を示す概略構成図である。図１４は、図１２に示す画像形成装置１１０又は画像読取装置１２０における画像処理装置１１２により処理される画像データの処理過程を説明するための説明図である。
【００９５】
第４実施形態において、第１実施形態及び第２実施形態の構成要素と実質的に同じ構成要素には同一符号を付し、その説明を省略すると共に、以下、第１実施形態及び第２実施形態とは異なる点を中心に説明する。
【００９６】
図１２に示す画像形成システム１００は、画像形成装置１１０及び画像読取装置１２０と、内部ＵＲＬ短縮サービスサーバ４１０と、無線又は有線ＬＡＮ（Local Area Network）等のイントラネット４２０とを備えている。
【００９７】
画像形成装置１１０及び画像読取装置１２０は、ＬＡＮ（Local Area Network）等のイントラネット４２０とインターネット１４０とを介して端末装置１５０（例えばコンピュータ端末装置１５０ａや携帯端末装置１５０ｂ）と通信するようになっている。また、画像形成装置１１０及び画像読取装置１２０は、イントラネット４２０を介して内部ＵＲＬ短縮サービスサーバ４１０と通信するようになっている。なお、図１２では、画像形成装置１１０、画像読取装置１２０及び端末装置１５０をそれぞれ１台で示しているが、画像形成装置１１０、画像読取装置１２０及び端末装置１５０は、それぞれ、複数台としてもよい。また、画像形成装置１１０、画像読取装置１２０、内部ＵＲＬ短縮サービスサーバ４１０、イントラネット４２０は、社内、部署内或いは構内（この例では社内４００）に設けられている。また、イントラネットのネットワーク構成としては、何れのものでもよく、例えば、有線では、バス型のネットワーク構成やリング型のネットワーク構成を挙げることができる。また、画像形成装置１１０及び画像読取装置１２０は、イントラネット４２０にのみ接続されている状態であってもよく、必ずしもインターネット１４０に接続されていなくてもよい。
【００９８】
画像処理装置１１２における処理部１１２ａは、第１実施形態又は第２実施形態の構成と同様のものであり、図２に示すように、画像データ取得手段Ｐ１と、文字列認識手段Ｐ２と、ＵＲＬ判別手段Ｐ３と、ＵＲＬ抽出手段Ｐ４と、短縮ＵＲＬ取得手段Ｐ５とを備える構成とされている。
【００９９】
本実施の形態では、画像データ取得手段Ｐ１は、画像形成装置１１０の場合には、外部装置から通信部１１７にて取り込んだ画像データ、或いは、画像読取部１１６にて読み取った画像データを取得するようになっており、画像読取装置１２０の場合には、画像読取部１１６にて読み取った画像データを取得するようになっている。
【０１００】
また、本実施の形態では、短縮ＵＲＬ取得手段Ｐ５は、ＵＲＬ抽出手段Ｐ４にて抽出したＵＲＬ１０ａを、ＵＲＬ１０ａを短縮ＵＲＬ１０ｂに変換する内部（この例では社内４００）のサービスである内部ＵＲＬ短縮サービスを提供するサーバである内部ＵＲＬ短縮サービスサーバ４１０（図１２及び図１４参照）に送信して内部ＵＲＬ短縮サービスサーバ４１０にて変換された短縮ＵＲＬ１０ｂを内部ＵＲＬ短縮サービスサーバ４１０から取得するようになっている。
【０１０１】
内部ＵＲＬ短縮サービスサーバ４１０は、ＵＲＬ１０ａを短縮ＵＲＬ１０ｂに関連付けて記憶するようになっている。内部ＵＲＬ短縮サービスサーバ４１０は、短縮ＵＲＬ１０ｂと関連付けられたＵＲＬ１０ａを短縮ＵＲＬ１０ｂに変換するようになっている。
【０１０２】
図１３に示すように、内部ＵＲＬ短縮サービスサーバ４１０は、ＣＰＵ等の処理部４１０ａと、ＲＯＭ等の不揮発性メモリやフラッシュメモリなどの書き込み可能な不揮発性メモリおよびＲＡＭ等の揮発性メモリを含む記憶部４１０ｂとを備えている。
【０１０３】
内部ＵＲＬ短縮サービスサーバ４１０は、処理部４１０ａが記憶部４１０ｂのＲＯＭに予め格納された制御プログラムを記憶部４１０ｂのＲＡＭ上にロードして実行することにより、各種構成要素を制御するようになっている。また、記憶部４１０ｂにおける不揮発性メモリには、内部ＵＲＬ短縮サービスサーバ４１０の動作パラメータや設定データなどの各種システム情報が格納されている。
【０１０４】
内部ＵＲＬ短縮サービスサーバ４１０における記憶部４１０ｂは、ＵＲＬ１０ａを短縮ＵＲＬ１０ｂに関連付けて記憶する短縮ＵＲＬ記憶部Ｍ２１を有している。
【０１０５】
内部ＵＲＬ短縮サービスサーバ４１０における処理部４１０ａは、ＵＲＬ１０ａをＵＲＬ１０ａに対して一意の短縮ＵＲＬ１０ｂに関連付けて短縮ＵＲＬ記憶部Ｍ２１に登録する短縮ＵＲＬ登録手段Ｐ２１と、ＵＲＬ１０ａを短縮ＵＲＬ１０ｂに変換する短縮ＵＲＬ変換手段Ｐ２２とを備える構成とされている。
【０１０６】
短縮ＵＲＬ取得手段Ｐ５（図２参照）は、図１４に示すように、画像形成装置１１０及び画像読取装置１２０において、ＵＲＬ抽出手段Ｐ４（図２参照）にて抽出したＵＲＬ１０ａを処理部４１０ａ（図１３参照）における短縮ＵＲＬ変換手段Ｐ２２に送信して短縮ＵＲＬ変換手段Ｐ２２にて変換された短縮ＵＲＬ１０ｂを短縮ＵＲＬ変換手段Ｐ２２から取得する。
【０１０７】
なお、内部ＵＲＬ短縮サービスサーバ４１０のＨＴＴＰリダイレクト機能の具体的な説明は、第１実施形態及び第２実施形態の外部ＵＲＬ短縮サービスサーバ３００の場合と同様であり、ここでは詳しい説明を省略する。
【０１０８】
また、本実施の形態では、処理部１１２ａは、ＵＲＬ１０ａを短縮ＵＲＬ１０ｂに置き換えて短縮ＵＲＬ１０ｂを含む画像データを生成する画像データ生成手段Ｐ６（図２参照）をさらに備える構成とされている。
【０１０９】
そして、画像形成装置１１０は、画像処理装置１１２の処理部１１２ａにおける画像データ生成手段Ｐ６にて生成した画像データを画像形成部１１３にて画像形成（印刷）するようになっており、画像読取装置１２０は、画像処理装置１１２の処理部１１２ａにおける画像データ生成手段Ｐ６にて生成した画像データを画像出力部１１９にて外部装置に転送、或いは、所定のファイルデータとして保存するようになっている。
【０１１０】
次に、画像形成装置１１０及び画像読取装置１２０において、画像処理装置１１２により制御する第４実施形態の制御例について以下に説明する。
【０１１１】
図１５は、画像処理装置１１２による第４実施形態の制御例での処理の流れを示すフローチャートである。
【０１１２】
図１５に示す第４実施形態の制御例において、ステップＳ１０１〜Ｓ１０４、ステップＳ１０８〜Ｓ１１０は、図４に示す第１実施形態のステップＳ１０１〜Ｓ１０４、ステップＳ１０８〜Ｓ１１０及び図７に示す第２実施形態のステップＳ１０１〜Ｓ１０４、ステップＳ１０８、Ｓ２０９〜Ｓ２１０と同様の処理を行う。
【０１１３】
そして、ステップＳ１０４の処理の後、処理部１１２ａは、内部ＵＲＬ短縮サービスサーバ４１０に対して、ステップＳ１０４で抽出したＵＲＬ１０ａ（この例では「http://abcdefghijklmn.com/aabbccde/aIb0cl/1O.html」）を送信する（ステップＳ４０５）。
【０１１４】
内部ＵＲＬ短縮サービスサーバ４１０では、処理部４１０ａ（図１３参照）は、ステップＳ４０５で送信したＵＲＬ１０ａ（この例では「http://abcdefghijklmn.com/aabbccde/aIb0cl/1O.html」）を短縮ＵＲＬ１０ｂ（この例では「http://XXX.YY/1WlOI0D」）に変換し（ステップＳ４０６）、ステップＳ４０６で変換した短縮ＵＲＬ１０ｂを画像形成装置１１０又は画像読取装置１２０に返す。
【０１１５】
次に、画像形成装置１１０又は画像読取装置１２０において、処理部１１２ａ（図２参照）は、内部ＵＲＬ短縮サービスサーバ４１０にてステップＳ４０６で変換して内部ＵＲＬ短縮サービスサーバ４１０から送られてきた短縮ＵＲＬ１０ｂ（この例では「http://XXX.YY/1WlOI0D」）を受信する（ステップＳ４０７）。
【０１１６】
（第５実施形態）
図１６は、第５実施形態の処理前及び処理後におけるＵＲＬ１０ａ及び短縮ＵＲＬ１０ｂの一例を説明するための説明図である。
【０１１７】
第５実施形態では、図１６に示すように、第１実施形態から第４実施形態において、画像データ生成手段Ｐ６は、画像データ取得手段Ｐ１にて取得した画像データにおいてＵＲＬ１０ａの近傍、具体的には、隣の行（上又は下の行、この例では下の行）に短縮ＵＲＬ１０ｂを並設してＵＲＬ１０ａ及び短縮ＵＲＬ１０ｂを含む画像データを生成する。
【０１１８】
（第６実施形態）
図１７は、第１実施形態から第５実施形態において、画像形成装置１１０における画像処理装置１１２の第６実施形態を構成する制御構成を示す概略構成図である。図１８は、第６実施形態の画像データ生成手段Ｐ６により生成されるメッセージＭＥ１の表示例を説明するための説明図である。なお、図１８では、第５実施形態において、第６実施形態の画像データ生成手段Ｐ６によるメッセージ表示を示している。
【０１１９】
画像処理装置１１２は、インターネット１４０上のＵＲＬ１０ａに対応するリソースＲが有害なリソース（例えばフィッシングサイト等の危険性の高いリソース）である可能性があるか否かを判定するリソース判定手段Ｐ７をさらに備える構成とされている（図１７参照）。ここで、有害な可能性があるリソースの判別は、予め有害な可能性があるリソースを登録したデータベースを作成しておくことで、行うことができる。
【０１２０】
そして、第１実施形態から第４実施形態では、画像データ生成手段Ｐ６は、ＵＲＬ１０ａに対応するリソースＲがリソース判定手段Ｐ７にて有害なリソースである可能性があると判定した場合には、短縮ＵＲＬ１０ｂの近傍、具体的には、隣の行（上又は下の行）にＵＲＬ１０ａに対応するリソースＲが有害なリソースである可能性があることを示す情報を並設するか、或いは、短縮ＵＲＬ１０ｂを削除する。また、第５実施形態では、画像データ生成手段Ｐ６は、ＵＲＬ１０ａに対応するリソースＲがリソース判定手段Ｐ７にて有害なリソースである可能性があると判定した場合には、ＵＲＬ１０ａ又は短縮ＵＲＬ１０ｂの近傍、具体的には、隣の行（上又は下の行、図１８の例ではＵＲＬ１０ａの下の行、短縮ＵＲＬ１０ｂの上の行）にＵＲＬ１０ａに対応するリソースＲが有害なリソースである可能性があることを示す情報（図１８の例では「このウェブサイトは有害サイトである可能性があります。」とのメッセージＭＥ１）を並設するか、或いは、ＵＲＬ１０ａ及び短縮ＵＲＬ１０ｂを削除する。
【０１２１】
（第７実施形態）
図１９は、第１実施形態から第６実施形態において、画像形成装置１１０における画像処理装置１１２の第７実施形態を構成する制御構成の画像データ生成手段Ｐ６により表示される表示例を説明するための説明図である。
【０１２２】
ところで、短縮ＵＲＬ１０ｂ及びＵＲＬ１０ａは、英文字や数字を使用することができるが、この場合、短縮ＵＲＬ１０ｂ及びＵＲＬ１０ａにおいて、英文字の“ｌ”（小文字のエル）及び数字の“１”（イチ）、英文字の“Ｉ”（大文字のアイ）及び数字の“１”（イチ）や、英文字の“Ｏ”（大文字のオー）及び数字の“０”（ゼロ）といった見た目が紛らわしい文字は、ＯＣＲ（Optical Character Reader）での誤認識や、ユーザによる入力間違いを起こしやすい。
【０１２３】
そこで、画像データ生成手段Ｐ６は、短縮ＵＲＬ１０ｂ及びＵＲＬ１０ａのうち少なくとも一方において予め定めた所定の１又は複数の文字（図１９の例では、“ｌ”（小文字のエル）及び“１”（イチ）、“Ｉ”（大文字のアイ）及び“１”（イチ）並びに“Ｏ”（大文字のオー）及び“０”（ゼロ））が含まれている場合には、該少なくとも一方を予め定めた所定のフォント（図１９の例では、「Consolas」フォント）に置き換える。
【０１２４】
すなわち、第１実施形態から第６実施形態では、画像データ生成手段Ｐ６は、短縮ＵＲＬ１０ｂにおいて予め定めた所定の１又は複数の文字のうち少なくとも一つが含まれている場合には、短縮ＵＲＬ１０ｂを予め定めた所定のフォントに置き換える。また、第５実施形態及び第６実施形態では、画像データ生成手段Ｐ６は、ＵＲＬ１０ａにおいて予め定めた所定の１又は複数の文字のうち少なくとも一つが含まれている場合には、ＵＲＬ１０ａを予め定めた所定のフォントに置き換える。
【０１２５】
所定のフォントとしては、「Consolas」フォントの他、「AR DESTINE」や「Chicago」等のフォントを例示できる。また、所定のフォントは、既存のフォントの他、独自に作成したフォントであってもよい。例えば、イタリックの形態にしてもよいが、イタリックの形態はＯＣＲの認識精度が低下しやすいために、ＯＣＲの認識精度を向上させるという観点から、イタリックの形態にしてそれを立体の形態に変換することができる。また、線が消えにくいように太字の形態にしたり、“０”（ゼロ）をスラッシュと重ねる形態にしたり、“Ｉ”（アイ）の上下の横棒を誇張して太くしたりすることができる。
【０１２６】
（第８実施形態）
図２０は、第５実施形態から第７実施形態において、画像形成装置１１０における画像処理装置１１２の第８実施形態を構成する制御構成の画像データ生成手段Ｐ６により表示される表示例を説明するための説明図である。なお、図２０は、第５実施形態の場合での表示状態を示している。
【０１２７】
ところで、図２０に示すように、ＵＲＬ１０ａの先頭が行の途中にある場合には、ユーザは、どこからがＵＲＬ１０ａの先頭であるかが分かりにくい。また、ＵＲＬ１０ａの末尾が行の途中にある場合には、ユーザは、どこまでがＵＲＬ１０ａの末尾であるかが分かりにくい。
【０１２８】
そこで、第５実施形態から第７実施形態では、画像データ生成手段Ｐ６は、ＵＲＬ１０ａの先頭が行の途中にある場合には、ＵＲＬ１０ａを先頭の部分（ＵＲＬ１０ａの先頭とその一つ前の文字（この例では「車」）との間）で改行し、或いは／さらに、ＵＲＬ１０ａの末尾が行の途中にある場合には、ＵＲＬ１０ａを末尾の部分（ＵＲＬ１０ａの末尾とその一つ後の文字（この例では「無」）との間）で改行する。
【０１２９】
（第９実施形態）
図２１は、第５実施形態から第７実施形態において、画像形成装置１１０における画像処理装置１１２の第９実施形態を構成する制御構成の画像データ生成手段Ｐ６により表示される表示例を説明するための説明図である。なお、図２１は、第５実施形態の場合での表示状態を示している。
【０１３０】
ところで、図２１に示すように、ＵＲＬ１０ａが文の途中にある場合には、ユーザは、どこからどこまでがＵＲＬ１０ａであるかが分かりにくい。
【０１３１】
そこで、第５実施形態から第７実施形態では、画像データ生成手段Ｐ６は、ＵＲＬ１０ａが文の途中にある場合には、ＵＲＬ１０ａを修飾する（この例ではアンダーアインを引く）。
【０１３２】
ここで、ＵＲＬ１０ａが文の途中にあるか否かは、文の先頭の「スペース」や前後の文の末尾と先頭との間の句点「。」を認識することで判定することができる。また、ＵＲＬ１０ａの修飾は、ＵＲＬ１０ａが他の文字と区別させることができるものであれは、何れのものであってもよく、例えば、「網掛け」や「アンダーライン」、或いは、ＵＲＬ１０ａの前後に所定の「記号」や「スペース」等の識別情報を設けるようにしてもよい。
【０１３３】
（第１０実施形態）
図２２は、第４実施形態において、画像形成システム１００における内部ＵＲＬ短縮サービスサーバ４１０の第１０実施形態を構成する制御構成を示す概略構成図である。図２３は、第１０実施形態の画像データ生成手段Ｐ６により生成されるメッセージＭＥ２の表示例を説明するための説明図である。なお、図２３では、ＵＲＬ１０ａの近傍に短縮ＵＲＬ１０ｂを並設する場合において、第１０実施形態の画像データ生成手段Ｐ６によるメッセージ表示を示している。
【０１３４】
図２２に示すように、内部ＵＲＬ短縮サービスサーバ４１０における処理部４１０ａは、短縮ＵＲＬ１０ｂの登録時に短縮ＵＲＬ１０ｂの有効期限を設定する有効期限設定手段Ｐ２３をさらに備える構成とされている。
【０１３５】
そして、第４実施形態では、画像データ生成手段Ｐ６は、ＵＲＬ１０ａを短縮ＵＲＬ１０ｂに置き換える場合には、短縮ＵＲＬ１０ｂの近傍、具体的には、隣の行（上又は下の行、図２３の例では短縮ＵＲＬ１０ｂの上の行）に有効期限１０ｃを並設して短縮ＵＲＬ１０ｂ及び有効期限１０ｃを示す情報（図２３の例では「この短縮ＵＲＬの有効期限は2014/3/31です。」とのメッセージＭＥ２）を含む画像データを生成し、ＵＲＬ１０ａの近傍（図２３の例では下の行）に短縮ＵＲＬ１０ｂを並設する場合には、ＵＲＬ１０ａ又は短縮ＵＲＬ１０ｂの近傍、具体的には、隣の行（上又は下の行、図２３の例では短縮ＵＲＬ１０ｂの上の行）に有効期限１０ｃを並設してＵＲＬ１０ａ、短縮ＵＲＬ１０ｂ及び短縮ＵＲＬ１０ｂの有効期限１０ｃを示す情報（図２３の例では「この短縮ＵＲＬの有効期限は2014/3/31です。」とのメッセージＭＥ２）を含む画像データを生成する。
【０１３６】
（本実施の形態について）
以上説明したように、第１実施形態から第１０実施形態では、従来構成の如く、二次元バーコードを用いるのではなく、ＵＲＬ１０ａを短縮した短縮ＵＲＬ１０ｂを用いることから、専用のアプリケーションソフトウェアを必要としないので、あらゆる環境において即座に利用することができる。しかも、カメラ等の読取装置を付設することがないので、それだけユーザ側でのコストを低く抑えることができる。そして、第１実施形態から第１０実施形態では、取得した画像データにおいて文字列を認識し、認識した文字列にＵＲＬ１０ａが含まれているか否かを判別し、判別したＵＲＬ１０ａを文字列から抽出し、抽出したＵＲＬ１０ａを短縮した短縮ＵＲＬ１０ｂを取得するので、ＵＲＬ１０ａの文字列の短縮化を実現させることができる。このことは、ＵＲＬ１０ａのディレクトリ階層及び／又はドメイン階層が深い場合に特に有効となる。
【０１３７】
このように、第１実施形態から第１０実施形態によれば、あらゆる環境において即座に利用することができ、ユーザ側でのコストを低く抑えつつ、ＵＲＬ１０ａの文字列の短縮化を実現させることが可能となる。
【０１３８】
しかも、第１実施形態、第３実施形態から第１０実施形態に係る画像形成装置１１０では、印刷物に含まれるＵＲＬ１０ａに基づいてＵＲＬ１０ａから変換された短縮ＵＲＬ１０ｂを記録シートに画像形成（印刷）することができ、また、第２実施形態から第１０実施形態に係る画像読取装置１２０では、印刷物に含まれるＵＲＬ１０ａに基づいてＵＲＬ１０ａから変換された短縮ＵＲＬ１０ｂを外部装置（例えば画像形成装置や端末装置１５０）に転送、或いは、ファイルデータ（例えばＰＤＦ(登録商標)ファイル）として保存することができ、これにより、ユーザは、印刷物に含まれる短縮ＵＲＬ１０ｂを端末装置１５０の入力部１５３に入力することができ、従って、入力部１５３への入力を簡素化することができ、それだけ入力作業にかかる労力を低減させることができる。また、第４実施形態に係る画像形成システム１００では、アクセスされるユーザや範囲が限定されたイントラネット４２０（例えば社内のイントラネット）において、ＵＲＬ１０ａを短縮ＵＲＬ１０ｂに変換する内部（例えば社内）のサービスである内部ＵＲＬ短縮サービスを提供することができる。
【０１３９】
また、第１実施形態から第４実施形態及び第６実施形態から第１０実施形態では、ＵＲＬ１０ａを短縮ＵＲＬ１０ｂに置き換えて短縮ＵＲＬ１０ｂを含む画像データを生成することで、ＵＲＬ１０ａが設けられていたスペースを、短縮ＵＲＬ１０ｂを設けるスペースに利用することができ、これにより、短縮ＵＲＬ１０ｂの配置処理するための制御構成を簡素化することができる。
【０１４０】
また、第５実施形態から第１０実施形態では、ＵＲＬ１０ａの近傍に短縮ＵＲＬ１０ｂを並設してＵＲＬ１０ａ及び短縮ＵＲＬ１０ｂを含む画像データを生成することで（図１６参照）、短縮ＵＲＬ１０ｂに対応するＵＲＬ１０ａをユーザに視認させることができ、これにより、短縮ＵＲＬ１０ｂがどのようなＵＲＬであるかをユーザに確認させることができる。
【０１４１】
また、第６実施形態では、画像データ生成手段Ｐ６が、ＵＲＬ１０ａを短縮ＵＲＬ１０ｂに置き換えて短縮ＵＲＬ１０ｂを含む画像データを生成する場合において、ＵＲＬ１０ａに対応するリソースＲがリソース判定手段Ｐ７にて有害なリソースである可能性があると判定した場合に、短縮ＵＲＬ１０ｂの近傍にＵＲＬ１０ａに対応するリソースＲが有害なリソースである可能性があることを示す情報を並設するか、或いは、短縮ＵＲＬ１０ｂを削除することで、有害な可能性があるリソースと判定されたＵＲＬ１０ａに対応するリソースＲに対するユーザによるアクセスを効果的に防止することができる。
【０１４２】
また、第６実施形態では、画像データ生成手段Ｐ６が、ＵＲＬ１０ａの近傍に短縮ＵＲＬ１０ｂを並設してＵＲＬ１０ａ及び短縮ＵＲＬ１０ｂを含む画像データを生成する場合において、ＵＲＬ１０ａに対応するリソースＲがリソース判定手段Ｐ７にて有害なリソースである可能性があると判定した場合に、ＵＲＬ１０ａ又は短縮ＵＲＬ１０ｂの近傍にＵＲＬ１０ａに対応するリソースＲが有害なリソースである可能性があることを示す情報を並設するか（図１８参照）、或いは、ＵＲＬ１０ａ及び短縮ＵＲＬ１０ｂを削除することで、有害な可能性があるリソースと判定されたＵＲＬ１０ａに対応するリソースＲに対するユーザによるアクセスを効果的に防止することができる。
【０１４３】
また、第７実施形態では、短縮ＵＲＬ１０ｂ及びＵＲＬ１０ａのうち少なくとも一方において予め定めた所定の文字が含まれている場合には、該少なくとも一方を予め定めた所定のフォントに置き換えることで（図１９参照）、ＯＣＲで誤認識しやすい文字や、見た目が紛らわしい文字を確実に判別することができ、これにより、入力間違いを抑制することができる。
【０１４４】
また、第８実施形態では、ＵＲＬ１０ａの先頭が行の途中にある場合には、ＵＲＬ１０ａを先頭の部分で改行することで（図２０参照）、ＵＲＬ１０ａの先頭を行の最初にすることができ、これにより、どこからがＵＲＬ１０ａの先頭であるかをユーザに分かりやすくすることができる。また、ＵＲＬ１０ａの末尾が行の途中にある場合には、ＵＲＬ１０ａを末尾の部分で改行することで（図２０参照）、ＵＲＬ１０ａの末尾を行の最後にすることができ、これにより、どこまでがＵＲＬ１０ａの末尾であるかをユーザに分かりやすくすることができる。
【０１４５】
また、第９実施形態では、ＵＲＬ１０ａが文の途中にある場合には、ＵＲＬ１０ａを修飾することで（図２１参照）、ＵＲＬ１０ａが他の文字と区別させることができ、これにより、どこからどこまでがＵＲＬ１０ａであるかをユーザに分かりやすくすることが可能となる。
【０１４６】
また、第１実施形態及び第２実施形態では、画像形成装置１１０及び画像読取装置１２０において、抽出したＵＲＬ１０ａを、外部ＵＲＬ短縮サービスサーバ３００に送信して外部ＵＲＬ短縮サービスサーバ３００にて変換された短縮ＵＲＬ１０ｂを外部ＵＲＬ短縮サービスサーバ３００から取得することで（図１及び図３並びに図５及び図６参照）、外部ＵＲＬ短縮サービスを利用して、ＵＲＬ１０ａの文字列の短縮化を実現させることができる。
【０１４７】
また、第３実施形態では、画像形成装置１１０及び画像読取装置１２０において、抽出したＵＲＬ１０ａを短縮ＵＲＬ変換手段Ｐ１２に送信して短縮ＵＲＬ変換手段Ｐ１２にて変換された短縮ＵＲＬ１０ｂを短縮ＵＲＬ変換手段Ｐ１２から取得することで（図８から図１０参照）、図１２及び図１４に示すような第４実施形態の内部ＵＲＬ短縮サービスサーバ４１０を用いることなく、自機において内部ＵＲＬ短縮サービスを提供することができる。
【０１４８】
また、第１０実施形態では、短縮ＵＲＬ１０ｂの登録時に短縮ＵＲＬ１０ｂの有効期限１０ｃを設定できるように構成されていることで（図２２参照）、短縮ＵＲＬ１０ｂの登録数を制限することができる。また、この場合において、画像データ生成手段Ｐ６は、ＵＲＬ１０ａを短縮ＵＲＬ１０ｂに置き換える場合には、短縮ＵＲＬ１０ｂの近傍に有効期限１０ｃを並設して短縮ＵＲＬ１０ｂ及び有効期限１０ｃを含む画像データを生成することで、また、ＵＲＬ１０ａの近傍に短縮ＵＲＬ１０ｂを並設する場合には、ＵＲＬ１０ａ又は短縮ＵＲＬ１０ｂの近傍に有効期限１０ｃを並設して該ＵＲＬ、該短縮ＵＲＬ及び該有効期限を含む画像データを生成することで（図２３参照）、有効期限１０ｃを過ぎると短縮ＵＲＬ１０ｂがアクセスできなくなることをユーザに明確に報知させることができる。
【０１４９】
本発明は、以上説明した実施の形態に限定されるものではなく、他のいろいろな形で実施することができる。そのため、かかる実施の形態はあらゆる点で単なる例示にすぎず、限定的に解釈してはならない。本発明の範囲は請求の範囲によって示すものであって、明細書本文には、なんら拘束されない。さらに、請求の範囲の均等範囲に属する変形や変更は、全て本発明の範囲内のものである。
【符号の説明】
【０１５０】
１０ａ    ＵＲＬ
１０ｂ    短縮ＵＲＬ
１０ｃ    有効期限
１００    画像形成システム
１１０    画像形成装置
１１１    入力部
１１２    画像処理装置
１１２ａ  処理部
１１３    画像形成部
１１４    表示部
１１５    操作部
１１６    画像読取部
１１７    通信部
１１８    制御装置
１１８ａ  処理部
１１８ｂ  記憶部
１１９    画像出力部
１２０    画像読取装置
１４０    インターネット
１５０    端末装置
１５０ａ  コンピュータ端末装置
１５０ｂ  携帯端末装置
１５１    通信部
１５２    端末制御部
１５３    入力部
１５４    表示部
３００    外部ＵＲＬ短縮サービスサーバ
４００    社内
４１０    内部ＵＲＬ短縮サービスサーバ
４１０ａ  処理部
４１０ｂ  記憶部
４２０    イントラネット
Ｍ１１    短縮ＵＲＬ記憶部
Ｍ２１    短縮ＵＲＬ記憶部
ＭＥ１    メッセージ
ＭＥ２    メッセージ
Ｐ１      画像データ取得手段
Ｐ２      文字列認識手段
Ｐ３      ＵＲＬ判別手段
Ｐ４      ＵＲＬ抽出手段
Ｐ５      短縮ＵＲＬ取得手段
Ｐ６      画像データ生成手段
Ｐ７      リソース判定手段
Ｐ１１    短縮ＵＲＬ登録手段
Ｐ１２    短縮ＵＲＬ変換手段
Ｐ２１    短縮ＵＲＬ登録手段
Ｐ２２    短縮ＵＲＬ変換手段
Ｐ２３    有効期限設定手段
Ｒ        リソース
【図１】
2015076698.tif 000003
【図２】
2015076698.tif 000004
【図３】
2015076698.tif 000005
【図４】
2015076698.tif 000006
【図５】
2015076698.tif 000007
【図６】
2015076698.tif 000008
【図７】
2015076698.tif 000009
【図８】
2015076698.tif 000010
【図９】
2015076698.tif 000011
【図１０】
2015076698.tif 000012
【図１１】
2015076698.tif 000013
【図１２】
2015076698.tif 000014
【図１３】
2015076698.tif 000015
【図１４】
2015076698.tif 000016
【図１５】
2015076698.tif 000017
【図１６】
2015076698.tif 000018
【図１７】
2015076698.tif 000019
【図１８】
2015076698.tif 000020
【図１９】
2015076698.tif 000021
【図２０】
2015076698.tif 000022
【図２１】
2015076698.tif 000023
【図２２】
2015076698.tif 000024
【図２３】
2015076698.tif 000025